【事件の表示】
　特願２０１６−５３５２３３「甘味料または甘味増強剤として使用される新規なトリペルテングリコシド」拒絶査定不服審判事件〔平成２７年　６月１１日国際公開、ＷＯ２０１５／０８２０１２、平成２８年１２月２８日国内公表、特表２０１６−５４０５０７〕について、次のとおり審決する。
【結　論】
　本件審判の請求は、成り立たない。
【理　由】
第１　手続の経緯の概要
　本願は、２０１３年１２月５日を国際出願日とする出願であって、出願後の手続の経緯の概要は次のとおりである。
　平成２９年　９月１４日付け　拒絶理由通知
　　　　同年１２月２０日　　　意見書・手続補正書の提出
　平成３０年　５月　１日付け　拒絶査定
　　　　同年　９月１０日　　　拒絶査定不服審判の請求・手続補正書の提
　　　　　　　　　　　　　　　出
　令和　１年　７月３１日付け　拒絶理由通知・協議指令
　　　　同年１０月２９日　　　意見書・手続補正書の提出
　令和　１年１１月２７日付け　拒絶理由通知・協議指令
　令和　２年　３月　２日　　　意見書・手続補正書の提出
第２　本願発明
　本願の特許請求の範囲の請求項１〜３に係る発明は、令和２年３月２日に手続補正により補正された特許請求の範囲の請求項１〜３に記載された事項により特定される次のとおりのもの（以下「本願発明１」等ということがある。）である。
「　　【請求項１】
　式（Ｉ）を有する甘味料化合物であって、該甘味料化合物が以下の群から選ばれる化合物。
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１（２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）。
　　【請求項２】
　請求項１に記載の式（Ｉ）の甘味料化合物を１以上含み、任意として、芳香化合物及び／または調味料化合物及び／または甘味料及び／または甘味物質を含む、調製物。
　　【請求項３】
　Momordica　grosvenorii（Siraitia　grosvenoriとしても知られる）の植物から液状及び／又はアルコール抽出方法によって抽出する、請求項１に記載された、式（Ｉ）の甘味料化合物を１以上含む抽出物。」
　なお、以下では、請求項１に記載の化合物Ｂｂ〜化合物Ｍｍからなる群を「本願化合物群」ということがある。
第３　令和１年１１月２７日付けで通知した拒絶理由の概要
　当審が令和１年１１月２７日付け通知した拒絶理由は理由１〜８からなるところ、そのうち、理由５、８は次のとおりである。
［理由５］本願の請求項３〜５に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
［理由８］本願の請求項１〜５に係る発明は、同一出願人が同日に出願したとみなされる下記の出願に係る発明と同一と認められるから、この通知書と同日に発送した特許庁長官名による指令書に記載した届出がないときは、特許法第３９条第２項の規定により特許を受けることができない。
　そして、以下の刊行物５〜７、出願４を挙げている。
刊行物５：特開２００１−２１１８５４号公報
刊行物６：特開２００３−２７７２７０号公報
刊行物７：特開２００９−５７３３６号公報
出願４：特願２０１８−１６８４６２号（本願の分割出願）
　なお、令和１年１１月２７日付けの拒絶理由通知をした際の請求項３（令和１年１０月２９日付の手続補正により補正された特許請求の範囲の請求項３）は、現在の請求項２に対応し、令和１年１１月２７日付けの拒絶理由を通知した際の請求項４及び５（令和１年１０月２９日付の手続補正により補正された特許請求の範囲の請求項４及び５）は、現在の請求項３に対応する。
第４　当審の判断
　当審は、令和１年１１月２７日付けで通知した、請求項２及び３（当該拒絶理由通知をした際の請求項３〜５）についての拒絶理由５並びに請求項２及び３（当該拒絶理由通知をした際の請求項３〜５）についての拒絶理由８は解消していないと考える。
　その理由は次のとおりである。
１　理由５について
（１）刊行物及びその記載事項
刊行物５：特開２００１−２１１８５４号公報
刊行物６：特開２００３−２７７２７０号公報
刊行物７：特開２００９−５７３３６号公報
　
　刊行物５〜７には次の記載がある。
刊行物５：
５ａ）「【請求項１】　甘味料組成物を調製するための羅漢果エキスであって、モグロサイドＶ、モグロサイドＩＶ、１１−オキソ−モグロサイドＶおよびシアメノサイドＩの合計含有量が、３３重量％以上である、羅漢果エキス。」
　
５ｂ）「【００６０】具体的には、例えば、本発明の羅漢果エキスは、以下の方法により得られ得る。羅漢果の果実をメタノール抽出してメタノールエキスを得る。メタノールエキスを水と混合し、Ｎ−ヘキサンで脱脂する。脱脂後のメタノールエキスをカラムクロマトグラフィーにかけて８０％メタノール、１００％メタノール、およびアセトンで順次溶出し、粗配糖体画分である８０％メタノール画分を得る。得られた粗配糖体画分をメタノールに溶解した後、シリカゲルと混合し、乾燥し、次いでこのシリカゲルをクロロホルム−メタノールの混合溶媒で溶出することにより、配糖体画分を得る。得られた配糖体画分を液体クロマトグラフィーにかけることにより、さらに高純度の配糖体画分を入手し得る。」
　
５ｃ）「【００７９】（製造例１：羅漢果配糖体の単離）羅漢果エキス中に含有される甘味成分の定量分析および各甘味成分の甘味質評価試験を実施する場合、モグロサイドＶ、モグロサイドＩＶ、１１−オキソ−モグロサイドＶおよびシアメノサイドＩの甘味標準物質が必要不可欠となる。しかし、これらの甘味標準物質は市販されていないために、本発明者らによって下記のような分画・分取方法で各標準品を入手した。
【００８０】すなわち、羅漢果の未乾燥果実をメタノールで抽出し、メタノールエキスを得た。メタノールエキスを水と混合し、Ｎ−ヘキサンで脱脂した。脱脂されたメタノールエキスを、多孔性樹脂（ＤＩＡＩＯＮ　ＨＰ−２０カラムクロマト、三菱化学製）にかけ、８０％メタノール、１００％メタノール、およびアセトンの順に溶出させ、粗配糖体画分である８０％メタノール画分を得た。」
　
刊行物６：
６ａ）「【請求項１】　ククルビタン型トリテルペングリコシドを含有することを特徴とする発癌予防剤。」
　
６ｂ）「【００１１】実施例１
図２に示した手順に沿って抽出・分画・単離を行った。乾燥羅漢果（2kg）を粉砕後エタノールで抽出を行い抽出物（108g）を得た。」
　
６ｃ）「【００１５】
【発明の効果】本発明者らは、２種の新規天然化合物である11-オキソモグロシドIA1(11)及び5α，6α−エポキシモグロシドIE1(13)を含む計1３種の化合物を単離した。これらの化合物はEBV活性化抑制検定法において何れも強い活性を示し、発癌予防物質として期待できることが示された。本発明の発癌予防物質は発癌予防の薬剤として使用するだけでなく、種々の飲食品に甘味剤として添加し、発癌予防に有効な機能性飲食品を製造するのにも有用なものである。」
　
刊行物７：
７ａ）「【請求項１】
羅漢果由来の成分を含む、皮膚の上皮組織における損傷を処置するための間接投与用医薬組成物。」
７ｂ）「【０００３】
・・・羅漢果の乾燥果実から得られる羅漢果エキスは、強い甘味質を有する薬用の甘味料として知られている。」
　
７ｃ）「【００２９】
　本明細書中で使用される場合「羅漢果由来の成分」とは、羅漢果に由来する任意の成分をいう。この成分は、羅漢果から抽出・単離等を行っていない成分（例えば、羅漢果の粉末）であってもよいし、羅漢果から抽出・単離された成分（例えば、羅漢果抽出エキス）であってもよい。代表的には、羅漢果由来の成分は、羅漢果抽出物である。本発明において羅漢果抽出物を得る方法としては、水蒸気蒸留法、圧搾法、アルコール等の溶剤による溶剤抽出法、超臨界抽出法等が挙げられるが、これらに限定されない。好ましい羅漢果抽出物としては、熱抽出物が挙げられ、６０℃〜１００℃、好ましくは８０℃〜１００℃、より好ましくは９０℃〜１００℃の温度の加温水で抽出し、濃縮したものである。この水としては、水道水、イオン交換水、蒸留水等が挙げられ、好ましくはイオン交換水または蒸留水が用いられるが、これらに限定されない。」
　
７ｄ）「【００４２】
　具体的には、例えば、本発明の羅漢果エキスは、以下の方法により得られ得る。羅漢果の果実をメタノール抽出してメタノールエキスを得る。メタノールエキスを水と混合し、Ｎ−ヘキサンで脱脂する。脱脂後のメタノールエキスをカラムクロマトグラフィーにかけて８０％メタノール、１００％メタノール、およびアセトンで順次溶出し、粗配糖体画分である８０％メタノール画分を得る。得られた粗配糖体画分をメタノールに溶解した後、シリカゲルと混合し、乾燥し、次いでこのシリカゲルをクロロホルム−メタノールの混合溶媒で溶出することにより、配糖体画分を得る。得られた配糖体画分を液体クロマトグラフィーにかけることにより、さらに高純度の配糖体画分を入手し得る。」
　
７ｅ）「【００８０】
　（調製実施例：羅漢果抽出物の調製）
　羅漢果の未乾燥果実をメタノールで抽出し、メタノールエキスを得た。メタノールエキスを水と混合し、Ｎ−ヘキサンで脱脂した。脱脂されたメタノールエキスを、多孔性樹脂（ＤＩＡＩＯＮ 　ＨＰ−２０カラムクロマト、三菱化学製）にかけ、８０％メタノール、１００％メタノール、およびアセトンの順に溶出させ、粗配糖体画分である８０％メタノール画分を得た。」
　　
（２）引用発明
ア　刊行物５発明
　刊行物５には、羅漢果エキスについての記載があるところ、具体的には、羅漢果の未乾燥果実をメタノールで抽出して得たメタノールエキスについての記載がある（摘示５ａ〜５ｃ）。
　したがって、刊行物５には、
「羅漢果の未乾燥果実をメタノールで抽出して得られるメタノールエキス」の発明（以下「刊行物５発明」という。）が記載されていると認める。
　
イ　刊行物６発明
　刊行物６には、発癌予防剤についての記載があるところ、その製造方法において、乾燥羅漢果を粉砕後、エタノールで抽出を行って得た抽出物についての記載がある（摘示６ａ〜６ｃ）。
　したがって、刊行物６には、
「乾燥羅漢果を粉砕後、エタノールで抽出を行って得られる抽出物」の発明（以下「刊行物６発明」という。）が記載されていると認める。
　
ウ　刊行物７発明
刊行物７には、間接投与用医薬組成物についての記載があるところ、具体的には、羅漢果の未乾燥果実をメタノールで抽出して得たメタノールエキスについての記載がある（摘示７ａ〜７ｅ）。
　したがって、刊行物７には、
「羅漢果の未乾燥果実をメタノールで抽出して得られるメタノールエキス」の発明（以下「刊行物７」発明という。）が記載されていると認める。
　
（３）対比・判断
ア　本願発明２について 
（ア）刊行物５発明について
　刊行物５発明の「メタノールエキス」に化合物が含まれることは明らかである。
　また、刊行物５発明の上記「エキス」は羅漢果の未乾燥果実から抽出により得られ、調製された物といえるから、「調製物」であるといえる。
　さらに、本願発明２は、「芳香化合物及び／または調味料化合物及び／または甘味料及び／または甘味物質」を任意として含むものであるから、この点で相違するものではない。
　したがって、本願発明２と刊行物５発明とは、
「化合物を１以上含み、任意として、芳香化合物及び／または調味料化合物及び／または甘味料及び／または甘味物質を含む、調製物。」である点で一致し、以下の点で相違する。
　
＜相違点１＞
　化合物について、本願発明２は「請求項１に記載の式（Ｉ）の甘味料化合物」に特定しているのに対し、刊行物５発明はどのような化合物であるか特定していない点
　
　上記相違点１について検討するに、本願明細書には、式（Ｉ）の化合物である化合物Ａａ〜化合物Ｍｍを含む抽出物が、Momordica grosvenorii（Siraitia grosvenoriとしても知られる）の植物（当審注：羅漢果のこと）から液状及び／又はアルコール抽出による抽出によって入手できること、メタノール、エタノール等による抽出が特に好ましいこと記載されており、実施例では、Momordica grosvenorii（Siraitia grosvenori）を原料としてメタノールによる抽出により抽出物を得、最終的に化合物Ａａ〜化合物Ｍｍを逆相クロマトグラフィーにより得ることが記載されている（【００４９】、【００９１】、【００９５】、【００９６】、【０１１１】〜【０１１５】）ところ、実施例における抽出物には、化合物Ａａ〜化合物Ｍｍが含まれているといえる。そして、これら本願明細書に記載された原料及び抽出溶剤は刊行物５発明のものと同じである。
　してみると、刊行物５発明のエキスは、本願化合物群から選ばれる甘味料化合物、すなわち「請求項１に記載の式（Ｉ）の甘味料化合物」を含むといえる。
　なお、本願発明２では、「甘味料化合物」として、甘味料であることを特定しているが、甘味料と特定することによって、化合物自体の化学構造の異なるものを示すことにはならないので、化合物としては異なるものではない。
　したがって、この点は実質的な相違点ではない。
　よって、本願発明２は、刊行物５に記載された発明である。
　
（イ）刊行物６発明について
　刊行物６発明の「抽出物」に化合物が含まれることは明らかである。
　また、該「抽出物」は、乾燥羅漢果を粉砕後、エタノールで抽出を行って得られ、調製された物といえるから、「調製物」であるといえる。
　さらに、本願発明２は、「芳香化合物及び／または調味料化合物及び／または甘味料及び／または甘味物質」を任意として含むものであるから、この点で相違するものではない。
　したがって、本願発明２と刊行物６発明とは、
「化合物を１以上含み、任意として、芳香化合物及び／または調味料化合物及び／または甘味料及び／または甘味物質を含む、調製物。」である点で一致し、以下の点で相違する。
　
＜相違点２＞
　化合物について、本願発明２は「請求項１に記載の式（Ｉ）の甘味料化合物」に特定しているのに対し、刊行物６発明はどのような化合物であるか特定していない点
　
　上記相違点２について検討するに、本願明細書には、式（Ｉ）の化合物である化合物Ａａ〜化合物Ｍｍを含む抽出物が、Momordica grosvenorii（Siraitia grosvenoriとしても知られる）の植物（当審注：羅漢果のこと）から液状及び／又はアルコール抽出による抽出によって入手できること、メタノール、エタノール等による抽出が特に好ましいこと記載されており、実施例では、Momordica grosvenorii（Siraitia grosvenori）を原料としてメタノールによる抽出により抽出物を得、最終的に化合物Ａａ〜化合物Ｍｍを逆相クロマトグラフィーにより得ることが記載されている（【００４９】、【００９１】、【００９５】、【００９６】、【０１１１】〜【０１１５】）ところ、実施例における抽出物には、化合物Ａａ〜化合物Ｍｍが含まれているといえる。そして、これら本願明細書に記載された原料及び抽出溶剤は刊行物６発明のものと同じである。
　してみると、刊行物６発明の抽出物は、本願化合物群から選ばれる甘味料化合物、すなわち「請求項１に記載の式（Ｉ）の甘味料化合物」を含むといえる。
　なお、本願発明２では、「甘味料化合物」として、甘味料であることを特定しているが、甘味料と特定することによって、化合物自体の化学構造の異なるものを示すことにはならないので、化合物としては異なるものではない。
　したがって、この点は実質的な相違点ではない。
　よって、本願発明２は、刊行物６に記載された発明である。
　
（ウ）刊行物７発明について
　刊行物７発明の「メタノールエキス」に化合物が含まれることは明らかである。
　また、該「エキス」は、羅漢果の未乾燥果実をメタノールで抽出して得られ、調製された物といえるから、「調製物」であるといえる。
　さらに、本願発明２は、「芳香化合物及び／または調味料化合物及び／または甘味料及び／または甘味物質」を任意として含むものであるから、この点で相違するものではない。
　したがって、本願発明２と刊行物７発明とは、
「化合物を１以上含み、任意として、芳香化合物及び／または調味料化合物及び／または甘味料及び／または甘味物質を含む、調製物。」である点で一致し、以下の点で相違する。
　
＜相違点３＞
　化合物について、本願発明２は「請求項１に記載の式（Ｉ）の甘味料化合物」に特定しているのに対し、刊行物７発明はどのような化合物であるか特定していない点
　
　上記相違点３について検討するに、本願明細書には、式（Ｉ）の化合物である化合物Ａａ〜化合物Ｍｍを含む抽出物が、Momordica grosvenorii（Siraitia grosvenoriとしても知られる）の植物（当審注：羅漢果のこと）から液状及び／又はアルコール抽出による抽出によって入手できること、メタノール、エタノール等による抽出が特に好ましいこと記載されており、実施例では、Momordica grosvenorii（Siraitia grosvenori）を原料としてメタノールによる抽出により抽出物を得、最終的に化合物Ａａ〜化合物Ｍｍを逆相クロマトグラフィーにより得ることが記載されている（【００４９】、【００９１】、【００９５】、【００９６】、【０１１１】〜【０１１５】）ところ、実施例における抽出物には、化合物Ａａ〜化合物Ｍｍが含まれているといえる。そして、これら本願明細書に記載された原料及び抽出溶剤は刊行物７発明のものと同じである。
　してみると、刊行物７発明の抽出物は、本願化合物群から選ばれる甘味料化合物、すなわち「請求項１に記載の式（Ｉ）の甘味料化合物」を含むといえる。
　なお、本願発明２では、「甘味料化合物」として、甘味料であることを特定しているが、甘味料と特定することによって、化合物自体の化学構造の異なるものを示すことにはならないので、化合物としては異なるものではない。
　したがって、この点は実質的な相違点ではない。
　よって、本願発明２は、刊行物７に記載された発明である。
　
イ　本願発明３について
（ア）刊行物５発明について
　上述のとおり、本願発明３の「Momordica grosvenorii（Siraitia grosvenoriとしても知られる）の植物」は刊行物５発明の「羅漢果」のことである。
　また、刊行物５発明は「メタノールで抽出」するものであるところ、これは、本願発明３の「アルコール抽出方法によって抽出する」ことに相当する。
　そして、刊行物５発明の「エキス」は、本願発明３の「抽出物」に相当する。
　また、刊行物５発明が化合物を含むことは上述のとおりである。
　してみると、本願発明３と刊行物５発明とは、
「Momordica　grosvenorii（Siraitia　grosvenoriとしても知られる）の植物から液状及び／又はアルコール抽出方法によって抽出する、化合物を１以上含む抽出物。」である点で一致し、以下の点で相違する。
　
＜相違点４＞
　化合物について、本願発明３は「請求項１に記載された、式（Ｉ）の甘味料化合物」に特定しているのに対し、刊行物５発明はどのような化合物であるか特定していない点
　
　上記相違点４について検討するに、当該相違点は、上記相違点１と同様の相違点であるから、この点は実質的な相違点ではない。
　したがって、本願発明３は刊行物５に記載された発明である。
（イ）刊行物６発明について
　上述のとおり、本願発明３の「Momordica grosvenorii（Siraitia grosvenoriとしても知られる）の植物」は刊行物６発明の「羅漢果」のことである。
　また、刊行物６発明は「エタノールで抽出」するものであるところ、これは、本願発明３の「アルコール抽出方法によって抽出する」ことに相当する。
　そして、刊行物６発明の「抽出物」は、本願発明３の「抽出物」に相当する。
　また、刊行物６発明が化合物を含むことは上述のとおりである。
　してみると、本願発明３と刊行物６発明とは、
「Momordica　grosvenorii（Siraitia　grosvenoriとしても知られる）の植物から液状及び／又はアルコール抽出方法によって抽出する、化合物を１以上含む抽出物。」である点で一致し、以下の点で相違する。
　
＜相違点５＞
　化合物について、本願発明３は「請求項１に記載された、式（Ｉ）の甘味料化合物」に特定しているのに対し、刊行物６発明はどのような化合物であるか特定していない点
　
　上記相違点５について検討するに、当該相違点は、上記相違点２と同様の相違点であるから、この点は実質的な相違点ではない。
　したがって、本願発明３は刊行物６に記載された発明である。
（ウ）刊行物７発明について
　上述のとおり、本願発明３の「Momordica grosvenorii（Siraitia grosvenoriとしても知られる）の植物」は刊行物７発明の「羅漢果」のことである。
　また、刊行物７発明は「メタノールで抽出」するものであるところ、これは、本願発明３の「アルコール抽出方法によって抽出する」ことに相当する。
　そして、刊行物７発明の「エキス」は、本願発明３の「抽出物」に相当する。
　また、刊行物７発明が化合物を含むことは上述のとおりである。
　してみると、本願発明４と刊行物７発明とは、
「Momordica　grosvenorii（Siraitia　grosvenoriとしても知られる）の植物から液状及び／又はアルコール抽出方法によって抽出する、化合物を１以上含む抽出物。」である点で一致し、以下の点で相違する。
　
＜相違点６＞
　化合物について、本願発明３は「請求項１に記載された、式（Ｉ）の甘味料化合物」に特定しているのに対し、刊行物７発明はどのような化合物であるか特定していない点
　
　上記相違点６について検討するに、当該相違点は、上記相違点３と同様の相違点であるから、この点は実質的な相違点ではない。
　したがって、本願発明３は刊行物７に記載された発明である。
ウ　まとめ
　したがって、本願発明２及び３はいずれも、刊行物５〜７に記載された発明であり、特許法第２９条第１項第３号に該当する。
２　理由８について
（１）本願発明２及び３
　本願請求項２及び３は本願請求項１を引用するところ、請求項１〜３の各記載は上記したとおりである。
　したがって、本願発明２及び３は書き下すと次のとおりであると認める。
本願発明２：「式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含み、任意として、芳香化合物及び／または調味料化合物及び／または甘味料及び／または甘味物質を含む、調製物。」
本願発明３：「Momordica　grosvenorii（Siraitia　grosvenoriとしても知られる）の植物から液状及び／又はアルコール抽出方法によって抽出する、式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含む抽出物。」
（２）引用出願、引用発明
出願４：特願２０１８−１６８４６２号（本願の分割出願）
　出願４の令和２年４月２１日付けの手続補正により補正された特許請求の範囲の請求項２及び３は請求項１を引用するところ、請求項１〜３の記載は次のとおりである。
（なお、出願４の上記請求項２は、令和１年１１月２７日付けの拒絶理由通知をした際の請求項１２に、出願４の上記請求項３は、令和１年１１月２７日付けの拒絶理由通知をした際の請求項１３及び１４に対応する。）
「　　【請求項１】
　式（Ｉ）を有する甘味料化合物であって、該甘味料化合物が以下の群から選ばれる化合物。
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）。
　　【請求項２】
　請求項１に記載の式（Ｉ）の甘味料化合物を１以上含み、芳香化合物及び／または調味料化合物及び／または甘味料及び／または甘味物質を含む、調製物。
　　【請求項３】
　Momordica　grosvenorii（Siraitia　grosvenoriとしても知られる）の植物から液状及び／又はアルコール抽出方法によって抽出する、請求項１に記載された、式（Ｉ）の甘味料化合物を１以上含む抽出物。」
　したがって、出願４の請求項２及び３に係る発明は、書き下すとそれぞれ、以下のとおりであると認める（以下「出願４発明２」及び「出願４発明３」という。）。
「式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含み、芳香化合物及び／または調味料化合物及び／または甘味料及び／または甘味物質を含む、調製物。」及び
「Momordica　grosvenorii（Siraitia　grosvenoriとしても知られる）の植物から液状及び／又はアルコール抽出方法によって抽出する、式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含む抽出物。」　
（３）対比・判断
ア　本願発明２について
　本願発明２と出願４発明２とを対比する。両者は、
「式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含む、調製物。」である点で一致し、
　該調製物について、本願発明２が、「任意として、芳香化合物及び／または調味料化合物及び／または甘味料及び／または甘味物質を含む」のに対し、出願４発明２は、「芳香化合物及び／または調味料化合物及び／または甘味料及び／または甘味物質を含む」点で相違する。
　上記相違点について検討するに、本願発明２は、「芳香化合物及び／または調味料化合物及び／または甘味料及び／または甘味物質を含む」のは「任意」であるから、本願発明２の事実上の選択肢として、「芳香化合物及び／または調味料化合物及び／または甘味料及び／または甘味物質を含む」場合があり、この場合に本願発明２と出願４発明２とは同一である。
　したがって、本願発明２と出願４発明２とは実質的に同一である。
　なお、出願４発明２を先願とし本願発明２を後願とした場合、本願発明２を先願とし出願４発明２を後願とした場合のいずれの場合についても同様の判断である。
　よって、本願発明２は特許法第３９条第２項の規定により特許を受けることができない。
イ　本願発明３について
　本願発明３と出願４発明３とを対比すると、両者は、
「Momordica　grosvenorii（Siraitia　grosvenoriとしても知られる）の植物から液状及び／又はアルコール抽出方法によって抽出する、式（Ｉ）を有する甘味料化合物であって、該甘味料化合物が以下の群から選ばれる化合物
　　【化１】
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｂｂ）；
　（２Ｓ，３Ｒ，４Ｓ，５Ｓ，６Ｒ）−２−（（２Ｒ，３Ｓ，４Ｒ，５Ｒ，６Ｒ）−６−（（３Ｓ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−２−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｃｃ）；
　（２Ｓ，３Ｒ，４Ｓ，５Ｓ，６Ｒ）−２−（（２Ｒ，３Ｒ，４Ｓ，５Ｓ，６Ｒ）−２−（（３Ｓ，８Ｒ，９Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−３−イルオキシ）−４，５−ジヒドロキシ−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｄｄ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，８Ｒ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｅｅ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（ヒドロキシメチル）テトラヒドロ−２Ｈ−ピラン−３−イルオキシ）−６−（ヒドロキシメチル）テトラヒドロ−２Ｈ−ピラン−３，４，５−トリオール（化合物Ｇｇ）；
　（６Ｒ）−２−ヒドロキシ−６−（（３Ｓ，９Ｒ，１０Ｒ，１１Ｒ，１３Ｒ，１４Ｓ，１７Ｒ）−１１−ヒドロキシ−４，４，９，１３，１４−ペンタメチル−３−（（２Ｒ，３Ｒ，４Ｓ，５Ｓ，６Ｒ）−３，４，５−トリヒドロキシ−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−オン（化合物Ｈｈ）；
　（９Ｒ，１０Ｒ，１１Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−１１−ヒドロキシ−４，４，９，１３，１４−ペンタメチル−４，７，８，９，１０，１１，１２，１３，１４，１５，１６，１７−ドデカヒドロ−１Ｈ−シクロペンタ［ａ］フェナントレン−３（２Ｈ）−オン（化合物Ｊｊ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−６−（（３Ｓ，９Ｒ，１０Ｓ，１３Ｒ，１４Ｓ，１７Ｒ）−３−ヒドロキシ−４，４，９，１３，１４−ペンタメチル−２，３，４，７，８，９，１０，１１，１２，１３，１４，１５，１６，１７−テトラデカヒドロ−１Ｈ−シクロペンタ［ａ］フェナントレン−１７−イル）−２−メチルヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｋｋ）；
　（３Ｓ，９Ｒ，１０Ｒ，１３Ｒ，１４Ｓ，１７Ｒ）−１７−（（２Ｒ，５Ｒ）−５−（（２Ｓ，３Ｒ，４Ｓ，５Ｓ，６Ｒ）−４，５−ジヒドロキシ−３−（（２Ｓ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−２−イルオキシ）−６−ヒドロキシ−６−メチルヘプタン−２−イル）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−３，４，７，８，９，１０，１２，１３，１４，１５，１６，１７−ドデカヒドロ−１Ｈ−シクロペンタ［ａ］フェナントレン−１１ （２Ｈ）−オン（化合物Ｌｌ）；
　（２Ｓ，３Ｒ，４Ｓ，５Ｓ，６Ｒ）−２−（（２Ｓ，３Ｒ，４Ｓ，５Ｓ，６Ｒ）−４，５−ジヒドロキシ−２−（（３Ｒ，６Ｒ）−２−ヒドロキシ−２−メチル−６−（（３Ｓ，９Ｒ，１０Ｓ，１３Ｒ，１４Ｓ，１７Ｒ）−４，４，９，１３，１４−ペンタメチル−３−（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）−２，３，４，７，８，９，１０，１１，１２，１３，１４，１５，１６，１７−テトラデカヒドロ−１Ｈ−シクロペンタ［ａ］フェナントレン−１７−イル）ヘプタン−３−イルオキシ）−６−（（（２Ｒ，３Ｒ，４Ｓ，５Ｓ，６Ｒ）−３，４，５−トリヒドロキシ−６−（ヒドロキシメチル）テトラヒドロ−２Ｈ−ピラン−２−イルオキシ）メチル）テトラヒドロ−２Ｈ−ピラン−３−イルオキシ）−６−（ヒドロキシメチル）テトラヒドロ−２Ｈ−ピラン−３，４，５−トリオール（化合物Ｍｍ）を１以上含む抽出物。」である点で一致し、相違点はない（なお、本願の請求項１及び３の記載は、出願４の請求項１及び３の記載と完全に一致する。）。
　したがって、本願発明３は出願４発明３と同一である。
　なお、出願４発明３を先願とし本願発明３を後願とした場合、本願発明３を先願とし出願４発明３を後願とした場合のいずれの場合についても同様の判断である。
　よって、本願発明３は特許法第３９条第２項の規定により特許を受けることができない。
（４）請求人の主張について
　請求人は、令和２年３月２日付の意見書において、「同日付手続補正書により、本願の発明と特願２０１８−１６８４６２の発明とは異なっています。また、特願２０１８−１６８４６２に対して拒絶理由通知書（起案日：令和１年１０月１５日）が出ていますので、本願と同一発明にならないように請求の範囲を補正する予定です。」と主張するところ、特願２０１８−１６８４６２号についての令和２年４月２１日付けの手続補正による補正後も、本願発明２は出願４発明２と同一であり、本願発明３は出願４発明３と同一であることは、上記（３）で述べたとおりである。
　したがって、上記請求人の主張を採用することはできない。
第５　むすび
　以上のとおりであるから、そのほかの理由について検討するまでもなく、本願は拒絶すべきものである。
　よって、結論のとおり審決する。